(57)【要約】【課題】余剰在庫の効率的な販売を可能にするオンラインでの余剰在庫製品販売方法及びそのシステムを提供する。【解決手段】全余剰在庫製品から購入可能性の高い抽出余剰在庫製品を選定する余剰在庫抽出手段１１と、各抽出余剰在庫製品に対して引当て可能な開示余剰在庫製品を選定しその余剰在庫製品明細を作成する引当可否判定手段１２と、余剰在庫製品明細の開示先、開示開始日、及び開示期間を決定して余剰在庫製品明細の開示を行なう余剰在庫情報開示手段１３と、各余剰在庫製品明細に基づいて各開示余剰在庫製品の中から契約余剰在庫製品を選定させて注文発注を受け付けると共に、注文書を出力する余剰在庫発注手段１４と、注文発注及び注文書の各内容の確認を行ない、契約余剰在庫製品に対して出荷の振当てを行なって余剰在庫製品販売の契約を成立させる余剰在庫振当手段１５とを有する。【選択図】        図１
2004227454.tif 000002
【特許請求の範囲】
【請求項１】
製造者側に設けたコンピュータと、該製造者が製造した製品を過去に購入した実績のあるユーザー側に設けたユーザー側操作端末とを情報通信回線で結び、前記ユーザー側操作端末に予め製造者側で製造し余剰在庫となった余剰在庫製品を表示し、前記ユーザーからその表示した前記余剰在庫製品の発注を受けて販売するオンラインでの余剰在庫製品販売方法であって、
前記ユーザー側操作端末に表示する前記余剰在庫製品は、前記ユーザーが過去に注文した範囲内の品質を有する余剰在庫製品であることを特徴とするオンラインでの余剰在庫製品販売方法。
【請求項２】
請求項１記載のオンラインでの余剰在庫製品販売方法において、前記余剰在庫製品が鉄鋼製品である場合には、前記品質が、寸法、成分、及び機械的特性であることを特徴とするオンラインでの余剰在庫製品販売方法。
【請求項３】
請求項１及び２のいずれか１項に記載のオンラインでの余剰在庫製品販売方法において、前記余剰在庫製品が複数の前記ユーザーの各ユーザー側操作端末に対して表示可能な場合には、表示順位に優先順位を付けて、予め設定した期間毎に開示対象ユーザーの範囲を順次拡大することを特徴とするオンラインでの余剰在庫製品販売方法。
【請求項４】
請求項１〜３のいずれか１項に記載のオンラインでの余剰在庫製品販売方法において、前記ユーザー側操作端末に表示された前記余剰在庫製品を発注予約した後は、予め所定の期間内に注文発注を行なうことを特徴とするオンラインでの余剰在庫製品販売方法。
【請求項５】
請求項４記載のオンラインでの余剰在庫製品販売方法において、複数の前記ユーザーの各ユーザー側操作端末に対して同一の前記余剰在庫製品を開示している際、複数の前記ユーザーの中の１つがその余剰在庫製品の発注予約をすると、残りの前記ユーザーのユーザー側操作端末には発注予約のあったその余剰在庫製品の表示を停止することを特徴とするオンラインでの余剰在庫製品販売方法。
【請求項６】
請求項５記載のオンラインでの余剰在庫製品販売方法において、前記ユーザー側操作端末に開示された余剰在庫製品に対して発注予約がなされた後、予め設定した期間内に、その発注予約したユーザーからの注文発注がなされない場合は、残りの前記ユーザーのユーザー側操作端末に表示を停止した余剰在庫製品を再表示することを特徴とするオンラインでの余剰在庫製品販売方法。
【請求項７】
請求項１〜４のいずれか１項に記載のオンラインでの余剰在庫製品販売方法において、前記ユーザー側操作端末に開示した余剰在庫製品に対して注文発注がなされると注文書を該注文発注を行なったユーザーのユーザー側操作端末に表示することを特徴とするオンラインでの余剰在庫製品販売方法。
【請求項８】
製造者側に設けたコンピュータと、該製造者が製造した製品を過去に購入した実績のあるユーザー側に設けたユーザー側操作端末とを情報通信回線で接続したオンラインでの余剰在庫製品販売システムであって、
前記コンピュータには、全余剰在庫製品から第１の購入条件を適用して購入対象の可能性の高い１以上の抽出余剰在庫製品を選定する余剰在庫抽出手段と、
前記各抽出余剰在庫製品に対して第２の購入条件を適用して引当て可能な１以上の開示余剰在庫製品を選定し、その余剰在庫製品明細を作成する引当可否判定手段と、
前記余剰在庫製品明細の開示先、開示開始日、及び開示期間を決定して該余剰在庫製品明細の開示を行なう余剰在庫情報開示手段と、
前記各余剰在庫製品明細に基づいて前記各開示余剰在庫製品の中から購入対象となる契約余剰在庫製品を選定させて注文発注を受け付けると共に、注文書を出力する余剰在庫発注手段と、
前記注文発注及び前記注文書の各内容の確認を行ない、前記契約余剰在庫製品に対して出荷の振当てを行なって、余剰在庫製品販売の契約を成立させる余剰在庫振当手段が設けられていることを特徴とするオンラインでの余剰在庫製品販売システム。
【請求項９】
請求項８記載のオンラインでの余剰在庫製品販売システムにおいて、前記引当可否判定手段には、事前に模擬発注を行なって引当ての可能性を判定して前記開示余剰在庫製品を選定する事前振当確認部が設けられていることを特徴とするオンラインでの余剰在庫製品販売システム。
【請求項１０】
請求項８及び９のいずれか１項に記載のオンラインでの余剰在庫製品販売システムにおいて、前記余剰在庫発注手段には、前記余剰在庫製品明細に基づいた発注予約を受け付けて、所定期間だけ該発注予約が設定された余剰在庫製品の保留を指示すると共に、該発注予約を入力した開示先を除いて該発注予約が設定された余剰在庫製品の前記余剰在庫製品明細の開示を該所定期間だけ停止する発注予約受付部が設けられていることを特徴とするオンラインでの余剰在庫製品販売システム。
【請求項１１】
請求項１０記載のオンラインでの余剰在庫製品販売システムにおいて、前記余剰在庫発注手段には、前記発注予約が受け付けられて所定期間の内に前記注文発注の入力が行なわれない場合、前記発注予約が設定された余剰在庫製品の保留を取り止め該発注予約を解除する発注予約解除部が設けられていることを特徴とするオンラインでの余剰在庫製品販売システム。
【発明の詳細な説明】
【０００１】
【発明の属する技術分野】
本発明は、余剰在庫の販売を行なうオンラインでの余剰在庫製品販売方法及びそのシステムに関する。
【０００２】
【従来の技術】
例えば、鉄鋼製品の余剰在庫の販売では、生産者側の担当者が不定期に余剰在庫を調査し、その結果に基づいて各余剰在庫毎に書面形式の余剰在庫明細を作成して、各需要家（ユーザー）に提示していた。
また、各需要家が余剰在庫を購入する際には、提示された余剰在庫明細の内容から、購入可能な余剰在庫を選定し、書面形式の注文書を作成して、生産者側の受注部門に回答していた。そして、生産者側では、注文書を受け取った時点で発注がかかったその余剰在庫の存在を再度確認し、余剰在庫の存在が確認された場合はその余剰在庫に注文を振当てていた。
【０００３】
しかしながら、生産者側の担当者が余剰在庫を調査して各余剰在庫毎に余剰在庫明細を作成するには多くの時間が必要であり、余剰在庫明細を各需要家に提示する機会が減少していた。このため、各需要家の購入機会にマッチングして余剰在庫明細を提示することが困難となり、余剰在庫の販売機会を逸することが多くあった。
また、余剰在庫明細、注文書がいずれも書面形式で作成されるため、余剰在庫の需要家側への引合、需要家側から生産者側への余剰在庫の購入可否回答に多くの時間を要していた。更に、引合を１つの需要家に対して行なっている間は、他の需要家に対しては引合を行なうことができないため、余剰在庫の効率的な販売を更に困難にしていた。
このため、余剰在庫品を情報通信回線を利用して販売する方法が提案されている（例えば、特許文献１参照）。
【０００４】
【特許文献１】
特開２００２−２１５９１５号公報
【０００５】
【発明が解決しようとする課題】
しかし、特許文献１に記載された発明では全ての余剰在庫が対象になるため余剰在庫量が多い場合には、各需要者が必要とする余剰在庫を余剰在庫明細の中から抽出するには多くの時間を要し、各需要家から生産者側に対する購入可否回答に時間を要する要因の１つになっていた。
本発明はかかる事情に鑑みてなされたもので、余剰在庫の効率的な販売を可能にするオンラインでの余剰在庫製品販売方法及びそのシステムを提供することを目的とする。
【０００６】
【課題を解決するための手段】
前記目的に沿う本発明に係るオンラインでの余剰在庫製品販売方法は、製造者側に設けたコンピュータと、該製造者が製造した製品を過去に購入した実績のあるユーザー側に設けたユーザー側操作端末とを情報通信回線で結び、前記ユーザー側操作端末に予め製造者側で製造し余剰在庫となった余剰在庫製品を表示し、前記ユーザーからその表示した前記余剰在庫製品の発注を受けて販売するオンラインでの余剰在庫製品販売方法であって、
前記ユーザー側操作端末に表示する前記余剰在庫製品は、前記ユーザーが過去に注文した範囲内の品質を有する余剰在庫製品である。
【０００７】
余剰在庫製品を対象とした販売であるので、各ユーザーが要求する品質を有する余剰在庫製品が常に存在するとは限らない。
このため、各ユーザー毎の過去の購入実績の明細から求まるそのユーザーが購入した製品の品質を満足する余剰在庫製品を選定して表示するようにしているので、そのユーザーが効率的に余剰在庫製品を選択することが可能となる。
【０００８】
本発明に係るオンラインでの余剰在庫製品販売方法において、前記余剰在庫製品が鉄鋼製品である場合には、前記品質が、寸法、成分、及び機械的特性であることが好ましい。
鉄鋼製品の場合では、品質として、寸法、成分、及び機械的特性（例えば、引っ張り強度、穴広げ性等）を考慮して選定した余剰在庫製品を表示すれば、各ユーザーでは購入可否の判断を適格に行なうことができる。
【０００９】
本発明に係るオンラインでの余剰在庫製品販売方法において、前記余剰在庫製品が複数の前記ユーザーの各ユーザー側操作端末に対して表示可能な場合には、表示順位に優先順位を付けて、予め設定した期間毎に開示対象ユーザーの範囲を順次拡大することが好ましい。
各ユーザーは、常に種々の余剰在庫製品の購入機会を有しているとは限らない。このため、各ユーザー毎の過去の購入実績から、販売契約成立の可能性の高いユーザーの順に余剰在庫製品を開示する。
また、販売契約成立の可能性の最も高い開示先に開示されてから一定期間（例えば、１０日）が経過した後は、２番目に販売契約成立の可能性の高い開示先にも同時に開示され、２番目に販売契約成立の可能性の高い開示先に開示されてから一定期間が経過した後は、３番目に販売契約成立の可能性の高い開示先にも開示されるというように、順次開示される開示先の範囲を拡大していくことが好ましい。
【００１０】
本発明に係るオンラインでの余剰在庫製品販売方法において、前記ユーザー側操作端末に表示された前記余剰在庫製品を発注予約した後は、予め所定の期間内に注文発注を行なわせることが好ましい。
発注予約が行なわれても注文発注が行なわれない場合は、その余剰在庫製品に対する販売契約が成立する可能性は非常に低いと考えられる。このため、発注予約が行なわれてから所定期間が経過するまでに注文発注を行なわせるようにした。ここで、注文発注とは、発注予約した余剰在庫製品に対して本発注が行われることを製造者側に通知する情報の発信を指す。
【００１１】
本発明に係るオンラインでの余剰在庫製品販売方法において、複数の前記ユーザーの各ユーザー側操作端末に対して同一の前記余剰在庫製品を開示している際、複数の前記ユーザーの中の１つがその余剰在庫製品の発注予約をすると、残りの前記ユーザーのユーザー側操作端末には発注予約のあったその余剰在庫製品の表示を停止することが好ましい。
これによって、残りのユーザーから重複して発注予約が行なわれるのが防止できる。
【００１２】
本発明に係るオンラインでの余剰在庫製品販売方法において、前記ユーザー側操作端末に開示された余剰在庫製品に対して発注予約がなされた後、予め設定した期間内に、その発注予約したユーザーからの注文発注がなされない場合は、残りの前記ユーザーのユーザー側操作端末に表示を停止した余剰在庫製品を再表示することが好ましい。
余剰在庫製品を再表示することにより、余剰在庫製品の販売契約の成立の可能性を向上させることができる。
【００１３】
本発明に係るオンラインでの余剰在庫製品販売方法において、前記ユーザー側操作端末に開示した余剰在庫製品に対して注文発注がなされると注文書を該注文発注を行なったユーザーのユーザー側操作端末に表示することが好ましい。
ユーザーは表示された注文書を用いて、販売代理店に対する本発注業務に使用することができる。
【００１４】
前記目的に沿う本発明に係るオンラインでの余剰在庫製品販売システムは、製造者側に設けたコンピュータと、該製造者が製造した製品を過去に購入した実績のあるユーザー側に設けたユーザー側操作端末とを情報通信回線で接続したオンラインでの余剰在庫製品販売システムであって、
前記コンピュータには、全余剰在庫製品から第１の購入条件を適用して購入対象の可能性の高い１以上の抽出余剰在庫製品を選定する余剰在庫抽出手段と、
前記各抽出余剰在庫製品に対して第２の購入条件を適用して引当て可能な１以上の開示余剰在庫製品を選定し、その余剰在庫製品明細を作成する引当可否判定手段と、
前記余剰在庫製品明細の開示先、開示開始日、及び開示期間を決定して該余剰在庫製品明細の開示を行なう余剰在庫情報開示手段と、
前記各余剰在庫製品明細に基づいて前記各開示余剰在庫製品の中から購入対象となる契約余剰在庫製品を選定させて注文発注を受け付けると共に、注文書を出力する余剰在庫発注手段と、
前記注文発注及び前記注文書の各内容の確認を行ない、前記契約余剰在庫製品に対して出荷の振当てを行なって、余剰在庫製品販売の契約を成立させる余剰在庫振当手段が設けられている。
【００１５】
余剰在庫製品を対象とした販売であるので、製造者側には常に各ユーザー毎に最適な形状を有する余剰在庫製品が存在するとは限らない。このため、余剰在庫抽出手段を用いて第１の購入条件として、例えば、各ユーザー毎の過去の購入実績の明細から求まるそのユーザーが最も頻繁に購入した製品の形状データを適用し、全余剰在庫製品から各ユーザーが購入対象として検討できる可能性の高い抽出余剰在庫製品を選定する。
ここで、複数のユーザーで形状データの重複が生じた際は、その複数のユーザーに対してその余剰在庫製品を選定する。
【００１６】
余剰在庫製品のため、各ユーザーが要求する品質を示す余剰在庫製品が常に存在するとは限らない。このため、引当可否判定手段を用いて第１の購入条件で選定した抽出余剰在庫製品に対し、更に、第２の購入条件として、例えば、各ユーザー毎の過去の購入実績の明細から求まるそのユーザーが購入した製品の品質データを適用して、各ユーザー毎に要求される品質を満足する開示余剰在庫製品を選定し、その余剰在庫製品明細を作成する。
ここで、複数のユーザーで品質データの重複が生じた際は、その複数のユーザーに対してその余剰在庫製品を選定し、余剰在庫製品明細を作成する。
以上の操作により、全余剰在庫製品から各ユーザー毎に開示余剰在庫製品を選定することができ、余剰在庫製品の販売契約の成立の可能性を向上させることができる。
【００１７】
各ユーザーは、常に種々の余剰在庫製品の購入機会を有しているとは限らない。このため、複数のユーザーに対して特定の余剰在庫製品が開示余剰在庫製品として選定された場合、余剰在庫情報開示手段を用いて各ユーザー毎の過去の販売実績の明細から、販売契約成立の可能性の高いユーザー（すなわち、開示先）の順に余剰在庫製品明細を開示する。ここで、余剰在庫製品は本来、特定の製品に付随して製造されるものであるから、特定の製品の代替え品として確保されるべき保存期間（例えば、３カ月）が存在する。
このため、開示余剰在庫製品として各ユーザーに開示が開始される開示開始日は、例えば上記の保存期間が経過した翌日からとすることができる。
【００１８】
販売契約成立の可能性の最も高い開示先に開示されてから一定期間（例えば、１０日）が経過した後は、２番目に販売契約成立の可能性の高い開示先にも同時に開示され、２番目に販売契約成立の可能性の高い開示先に開示されてから一定期間が経過した後は、３番目に販売契約成立の可能性の高い開示先にも開示されるというように、順次開示される開示先の範囲を拡大していくことが好ましい。
なお、保管場所等の制約から余剰在庫として保管される期間には一般に上限（例えば、２カ月）が存在する。このため、後順位で開示先となるユーザーほど、開示期間が短くなる。
【００１９】
各ユーザーでは余剰在庫製品明細に基づいて開示余剰在庫製品の内容の検討を行ない、購入できる余剰在庫製品が存在する場合は、余剰在庫発注手段を用いて開示余剰在庫製品の中から購入しようとする余剰在庫製品を選定する。余剰在庫製品の選定が行なわれると、余剰在庫発注手段からは注文発注が出され、選定された余剰在庫製品は契約余剰在庫製品として登録される。
また、注文発注が出されると、契約余剰在庫製品として登録された余剰在庫製品の発注に必要な項目、例えば約定、規格、形状、注文量等が記入された注文書がユーザーに対して出力される。ユーザーは、この注文書を販売代理店経由又は直接送付する。
【００２０】
製造者側に上記の注文書が送付されると、製造者側から注文書の内容に基づいて契約余剰在庫製品に対して出荷の振当て処理を実行させるための余剰在庫製品充当用本発注が余剰在庫振当手段に入力される。
余剰在庫振当手段では、余剰在庫製品充当用本発注の注文内容と契約余剰在庫製品の内容とが一致するかの確認が行なわれ、一致が確認されると契約余剰在庫製品に対して出荷の振当てが行なわれる。これによって、余剰在庫製品販売の契約が成立する。
【００２１】
本発明に係るオンラインでの余剰在庫製品販売システムにおいて、前記引当可否判定手段には、事前に模擬発注を行なって引当ての可能性を判定して前記開示余剰在庫製品を選定する事前振当確認部が設けられていることが好ましい。
各ユーザー毎に作成される抽出余剰在庫製品に対して、事前振当確認部を用いて各ユーザーの過去の購入実績から、例えば同一規格の条件での模擬発注を行なって、各ユーザー毎に抽出された抽出余剰在庫製品が注文に際して実際に引当てることができるかを判定する。そして、抽出余剰在庫製品の中で、引当可と判定された余剰在庫製品のみを開示余剰在庫製品として登録する。
【００２２】
本発明に係るオンラインでの余剰在庫製品販売システムにおいて、前記余剰在庫発注手段には、前記余剰在庫製品明細に基づいた発注予約を受け付けて、所定期間だけ該発注予約が設定された余剰在庫製品の保留を指示すると共に、該発注予約を入力した開示先を除いて該発注予約が設定された余剰在庫製品の前記余剰在庫製品明細の開示を該所定期間だけ停止する発注予約受付部が設けられていることが好ましい。
各ユーザーは、開示余剰在庫製品の中から購入したい余剰在庫製品を見出した場合、発注予約受付部を用いて発注予約を行なうことができる。発注予約が行なわれると、その余剰在庫製品は所定期間、例えば７日間だけ保留扱いとなり、保留余剰在庫製品として管理される。
そして、他のユーザーに対してはその余剰在庫製品の明細の開示が所定期間だけ停止される。これによって、他のユーザーから重複して発注予約又は注文発注が行なわれるのが防止できる。
【００２３】
本発明に係るオンラインでの余剰在庫製品販売システムにおいて、前記余剰在庫発注手段には、前記発注予約が受け付けられて所定期間の内に前記注文発注の入力が行なわれない場合、前記発注予約が設定された余剰在庫製品の保留を取り止め該発注予約を解除する発注予約解除部が設けられていることが好ましい。
発注予約が入力されてから前記の所定期間が経過しても注文発注が入力されない場合は、その余剰在庫製品に対する販売契約が成立する可能性は非常に低いと考えられる。このため、発注予約が入力されてから所定期間が経過すると、発注予約解除部が自動的に動作してこの発注予約を解除する。
発注予約が解除されると、保留余剰在庫製品としての管理が終了する。そして、この余剰在庫製品の余剰在庫製品明細の開示が他のユーザーに対しても再び可能となる。
【００２４】
【発明の実施の形態】
続いて、添付した図面を参照しつつ、本発明を具体化した実施の形態につき説明し、本発明の理解に供する。
ここに、図１は本発明の一実施の形態に係るオンラインでの余剰在庫製品販売システムの構成図、図２は同余剰在庫製品販売システムにおける製造者側での余剰在庫製品開示業務の流れを示す説明図、図３は同余剰在庫製品販売システムにおける抽出余剰在庫製品データの形式例を示す説明図、図４は同余剰在庫製品販売システムにおける模擬発注指示の操作を示す説明図、図５は同余剰在庫製品販売システムにおけるユーザー側の余剰在庫製品購入業務の流れを示す説明図、図６は同余剰在庫製品販売システムにおける開示余剰在庫製品データの形式例を示す説明図、図７は同余剰在庫製品販売システムにおける注文書の形式例を示す説明図、図８は同余剰在庫製品販売システムにおける製造者側での余剰在庫製品振当業務の流れを示す説明図である。
【００２５】
図１に示すように、本発明の一実施の形態に係るオンラインでの余剰在庫製品販売システム１０は、例えば、製鉄所に保管されている鉄鋼製品の全余剰在庫製品から購入対象の可能性の高い抽出余剰在庫製品を選定する余剰在庫抽出手段１１と、各抽出余剰在庫製品に対して販売の引当て可能な開示余剰在庫製品を選定しその余剰在庫製品明細を作成する引当可否判定手段１２と、余剰在庫製品明細の開示を行なう余剰在庫情報開示手段１３と、各余剰在庫製品明細に基づいた注文発注の受付と注文書の出力を行なう余剰在庫発注手段１４と、余剰在庫製品販売の契約を成立させる余剰在庫振当手段１５が搭載され、製造者側に設けられたコンピュータ１０ａと、このコンピュータ１０ａに情報通信回線２２を介して接続されたユーザー側操作端末２１を有している。以下、これらについて詳細に説明する。
【００２６】
余剰在庫抽出手段１１は、余剰在庫製品の販売先であるユーザーを特定して、製造側に保管されている全余剰在庫製品の明細を記録している全余剰在庫製品データ１６に基づいて、この特定したユーザーに対して予め設定されている第１の購入条件を適用して、このユーザーが使用する可能性のある１以上の余剰在庫製品を抽出余剰在庫製品として選定し抽出余剰在庫製品データ１７を作成する機能を備えている。なお、複数のユーザーで第１の購入条件の重複が生じた際は、その複数のユーザーに対して同一の余剰在庫製品を選定する。
ここで、第１の購入条件としては、例えば、ユーザーの過去の購入実績の明細からそのユーザーが購入した製品の品質データを採用することができる。
【００２７】
余剰在庫抽出手段１１は、コンピュータ１０ａに上記の機能を発現させるプログラムを搭載することにより構成することができる。また、全余剰在庫データ１６及び抽出余剰在庫データ１７は、余剰在庫抽出手段１１を構成するコンピュータ１０ａに接続した記憶装置にデータベースとして構築することができる。
従って、製造者側操作端末１８をコンピュータ１０ａの余剰在庫抽出手段１１に接続させて余剰在庫抽出手段１１を起動させユーザーの特定が行なわれると、余剰在庫抽出手段１１は全余剰在庫製品データ１６を検索し、特定されたユーザー毎にそのユーザーが購入する可能性の高い余剰在庫製品を抽出余剰在庫製品として選定して、抽出余剰在庫製品データ１７として保存すると共に、その結果を製造者側操作端末１８の表示器１９に表示することができる。
【００２８】
引当可否判定手段１２は、特定されたユーザーに対して作成された抽出余剰在庫製品データ１７に基づいて、このユーザーに対して予め設定されている第２の購入条件を適用して、抽出余剰在庫製品からこのユーザーが要求する特性を満たす１以上の余剰在庫製品を選択する機能を備えている。更に、引当可否判定手段１２には、抽出余剰在庫製品から第２の購入条件を適用して選定された余剰在庫製品に対して、模擬発注指示を行なってこの余剰在庫製品を模擬発注に対して引当てることが可能であるかを確認する機能を備えた事前振当確認部１２ａが設けられている。
そして、引当可否判定手段１２は、模擬発注に対して引当て可能となった余剰在庫製品（抽出余剰在庫製品）のみを開示余剰在庫製品として選定し、その余剰在庫製品明細を含んだ開示余剰在庫製品データ２０を作成する機能を備えている。
【００２９】
なお、複数のユーザーで第２の購入条件の重複が生じ、更に模擬発注に対しても引当て可能となった場合は、その複数のユーザーに対して同一の開示余剰在庫製品を選定する。
ここで、第２の購入条件としては、例えば、ユーザーの過去の購入実績の明細から求まるそのユーザーが購入した製品の品質データを採用することができる。また、模擬発注指示は、例えば、サイズや温度等の圧延実績、成分、表面仕上げ、形態や重量等の形状、引張り強度値等の機械的特性から構成される購入仕様に基づいて行なわれる。
【００３０】
引当可否判定手段１２はコンピュータ１０ａに上記の機能を発現させるプログラムを搭載することにより構成することができる。また、開示余剰在庫製品データ２０は、引当可否判定手段１２を構成するコンピュータ１０ａに接続した記憶装置にデータベースとして構築することができる。
従って、製造者側操作端末１８を用いて引当可否判定手段１２の運用が開始されユーザーの特定が行なわれると、引当可否判定手段１２は抽出余剰在庫製品データ１７を検索して、選択されたユーザー毎にそのユーザーが要求する特性を満足する品質を有する余剰在庫製品を開示余剰在庫製品として選定しその余剰在庫製品明細を作成して、その結果を製造者側操作端末１８の表示器１９に表示すると共に、開示余剰在庫製品データ２０の一部として保存することができる。
なお、上記の説明では、余剰在庫抽出手段１１と引当可否判定手段１２の運用はそれぞれ個別に行なうようにしたが、余剰在庫抽出手段１１と引当可否判定手段１２が連続して運用されるようにして、ユーザーが特定されると、抽出余剰在庫製品データ１７と開示余剰在庫製品データ２０の作成が連続して行なわれるようにすることもできる。
【００３１】
余剰在庫情報開示手段１３は、ユーザー側操作端末２１を用いてインターネット等の情報通信回線２２を利用して接続してきたユーザーに対して、開示余剰在庫製品データ２０内の余剰在庫製品明細を開示する際の開示先の選定、開示を開始する開示開始日、及び開示期間をそれぞれ決定する機能を備えている。
ここで、ユーザー側操作端末２１と余剰在庫情報開示手段１３の接続は、余剰在庫製品販売システム１０の利用者として登録されたユーザーであるかの判定をユーザーコードを基に行なう機能を備えた認証手段２３を介して行なわれる。なお、余剰在庫情報開示手段１３、認定手段２３はコンピュータ１０ａに上記の機能を発現させるプログラムを搭載することにより構成することができる。
【００３２】
開示先の選定は、引当可否判定手段１２で作成した開示余剰在庫製品データ２０に基づいて行なわれる。すなわち、開示余剰在庫製品に対して引当て可能なユーザーが１つである場合は、このユーザーが開示先となる。また、複数のユーザーに対して開示余剰在庫製品が重複する場合は、開示余剰在庫製品の販売契約成立の可能性の高いユーザーを優先して開示先とする。
そして、最初に開示が行なわれてから所定期間、例えば１０日が経過した時点で、次に販売契約成立の可能性の高いユーザーにも開示が行なわれ、更に所定期間が経過すると３番目に販売契約成立の可能性の高いユーザーにも開示が行なわれ、以後所定期間が経過する度に開示先が１ずつ増加していくようにすることが好ましい。
ここで、販売契約成立の可能性の判断は、例えば、過去の購入実績を考慮して決定する。また、開示開始日は、その余剰在庫製品が代替製品として確保される保存期間が経過した翌日からとすることができ、開示期間は、余剰在庫製品として保管が可能な期間を上限として設定することが好ましい。なお、余剰在庫製品明細の内容は、ユーザー側操作端末２１に設けられた表示器２４に表示される。
【００３３】
余剰在庫発注手段１４には、ユーザー側操作端末２１を用いてインターネット等の情報通信回線２２を利用して接続し認証手段２３で認証されたユーザーに対して、開示余剰在庫製品データ２０内の余剰在庫製品明細に基づいた発注予約を受け付けて、所定期間、例えば７日間だけ発注予約が設定された余剰在庫製品を保留余剰在庫製品として保留指示し保留余剰在庫製品データ２５を作成すると共に、発注予約を入力した開示先を除いて保留余剰在庫製品となった余剰在庫製品に対する余剰在庫製品明細の開示を所定期間だけ停止させるように開示余剰在庫製品データ２０に制約条件を加える機能を備えた発注予約受付部２６が設けられている。
【００３４】
また、余剰在庫発注手段１４には、保留余剰在庫製品又は開示余剰在庫製品に対する注文発注を受け付け、注文発注が出された余剰在庫製品を契約余剰在庫製品として選定させ契約余剰在庫製品データ２７を作成する機能を備えた注文発注受付部２８が設けられている。なお、注文発注受付部２８には、その注文発注に対応した注文書をユーザー側操作端末２１に接続している図示しない印刷機等の出力機器に出力させる機能が設けられている。
更に、余剰在庫発注手段１４は、発注予約の入力が行なわれてから上記の所定期間の内に注文発注の入力が行なわれない場合、保留余剰在庫製品の保留を取り止めて発注予約を解除すると共に、保留余剰在庫製品データ２５を消去し開示余剰在庫製品データ２０の制約条件を解除する機能を備えた発注予約解除部２９が設けられている。
【００３５】
ここで、発注予約受付部２６、注文発注受付部２８、及び発注予約解除部２９を備えた余剰在庫発注手段１４は、コンピュータ１０ａに上記の各機能を発現させるプログラムを搭載することにより構成することができる。また、保留余剰在庫製品データ２５、契約余剰在庫製品データ２７は、余剰在庫発注手段１４を構成するコンピュータ１０ａに接続した記憶装置にデータベースとして構築することができる。
注文発注が行なわれユーザー側操作端末２１に設けられた出力機器から注文書が出力されると、その内容は販売代理店に伝えられる。そして、注文書の内容は、情報通信回線２２を介して販売代理店発注用端末３０から製造者側の受注管理用コンピュータ３１に入力される。
なお、上記の説明では、余剰在庫情報開示手段１３と余剰在庫発注手段１４の運用はそれぞれ個別に行なうようにしたが、余剰在庫情報開示手段１３と余剰在庫発注手段１４が連続して運用されるようにして、ユーザーが余剰在庫製品販売システム１０に接続すると、余剰在庫製品明細の開示、発注予約の受付、注文発注の受付が連続して行なわれるようにすることもできる。
【００３６】
余剰在庫振当手段１５には、受注管理用コンピュータ３１から入力される注文書の内容、すなわち余剰在庫製品充当用本発注の内容と、その本発注の元となった注文発注により作成された契約余剰在庫製品の内容との確認を契約余剰在庫製品データ２７を用いて行なう機能を備えた振当確認部３２が設けられている。
また、余剰在庫振当手段１５には、余剰在庫製品充当用本発注の内容と契約余剰在庫の内容の確認後、契約余剰在庫に対して出荷の振当てを実行し、その結果を引当余剰在庫製品データ３３として作成する機能を備えた振当実行部３４が設けられている。
ここで、振当確認部３２、振当実行部３４を備えた余剰在庫振当手段１５は、コンピュータ１０ａに上記の各機能を発現させるプログラムを搭載することにより構成することができる。また、引当余剰在庫製品データ３３は、余剰在庫振当手段１５を構成するコンピュータ１０ａに接続した記憶装置にデータベースとして構築することができる。
なお、契約余剰在庫製品に対する出荷の振当て結果は、受注管理用コンピュータ３１においても余剰在庫振当手段１５を介して確認できるようにすることが好ましい。
【００３７】
次に、本発明の一実施の形態に係るオンラインでの余剰在庫製品販売システム１０を使用したオンラインでの余剰在庫製品販売方法について詳細に説明する。
図２に示すように、製造者側操作端末１８を余剰在庫抽出手段１１、及び引当可否判定手段１２に接続して、余剰在庫開示業務を開始する（ステップＳＡ１）。
次いで、余剰在庫製品を販売するユーザーを特定するために、例えば、予め決められているユーザーコードを入力する（ステップＳＡ２）。これによって、先ず、余剰在庫抽出手段１１が起動して、全余剰在庫製品データ１６に対してユーザー毎に設定してある第１の購入条件、例えば品質データに基づいた検索が行なわれ、このユーザーが購入する可能性の高い余剰在庫製品を抽出余剰在庫製品として抽出し、抽出余剰在庫製品データ１７の作成が行なわれる（ステップＳＡ３）。
続いて、引当可否判定手段１２が起動して、このユーザーに対して予め設定されている第２の購入条件を適用して、このユーザーが要求する特性を満たす余剰在庫製品を抽出余剰在庫製品の中から選定する（ステップＳＡ４）。その結果は、例えば、図３に示すような表形式として、製造者側操作端末１８に接続された表示器１９に表示される。
【００３８】
更に、事前振当確認部１２ａを起動させて、例えば図４に示すような作業画面を表示器１９に表示させて、材料、約定、規格、ユーザー、サイズ等から構成される模擬発注指示を入力する。この模擬発注指示に対する異常は、図４のエラーメッセージ欄３５に表示され、その内容から模擬発注に対する引当て可能性を判定する。
その判定結果を図３の判定欄３６に入力することにより、図３の販売可否欄３７に記録される。販売可否欄３７に販売可（図３ではＯＫと表示されている）と記録された余剰在庫製品は、開示余剰在庫製品として登録すると共に余剰在庫製品明細を作成し、開示余剰在庫製品データ２０として保存する（ステップＳＡ５）。
ステップＳＡ２〜ＳＡ５までの各操作をそれぞれのユーザー毎に行なって開示余剰在庫製品データ２０の作成を行ない、その作業が完了すると（ステップＳＡ６）、余剰在庫製品開示業務が終了する（ステップＳＡ７）。
【００３９】
図５に示すように、余剰在庫製品を購入しようとするユーザーは、ユーザー側操作端末２１を起動させて余剰在庫製品の購入業務を開始する（ステップＳＢ１）。
先ず、インターネット等の情報通信回線２２を利用して余剰在庫製品販売システム１０に接続する（ステップＳＢ２）。余剰在庫製品販売システム１０に接続が行なわれると、認証手段２３が起動して利用者確認が行なわれ、次いでユーザーは予め決められているユーザーコードを入力する（ステップＳＢ３）。その結果、余剰在庫情報開示手段１３が起動して、開示余剰在庫製品データ２０からこのユーザーに対して設定されている開示余剰在庫製品に関する余剰在庫製品明細を、例えば図６に示すような表形式でユーザー側操作端末２１に設けられた表示器２４に表示する（ステップＳＢ４）。
【００４０】
ユーザーは、余剰在庫製品明細の内容を確認して、発注予約を行なう必要があると判断した場合（ステップＳＢ５）、余剰在庫表示番号欄３８で余剰在庫製品を選択し、予約欄３９をクリックする。これにより発注予約受付部２６が起動して、発注予約が設定された余剰在庫製品を保留余剰在庫製品として登録する（ステップＳＢ６）。また、保留余剰在庫製品データ２５が作成され、保留余剰在庫製品は所定期間だけ保留処分となる。更に、余剰在庫情報開示手段１３に対して発注予約を入力した開示先を除いて保留余剰在庫製品となった開示余剰在庫製品の余剰在庫製品明細の開示を所定期間だけ停止させる。
ここで、発注予約が設定されると、図３に示す抽出余剰在庫製品データ１７の保留欄３７ａにその余剰在庫製品が保留余剰在庫となっていることを示すマーク（図３ではＬと表示）が示され、図６の状態欄４０に予約の表示が現れる。
なお、発注予約が設定されていない余剰在庫製品には、未回答の表示が行なわれている。発注予約が完了すると（ステップＳＢ７）、余剰在庫製品の購入業務を終了する（ステップＳＢ８）。
【００４１】
注文発注をしようとするユーザーは、ステップＳＢ１〜ＳＢ４の操作を行なって、表示器２４に図６に示す表示を出す。そして、注文発注を行なうため、ステップＳＢ５で余剰在庫表示番号欄３８で注文発注を出そうとする余剰在庫製品を選択し契約欄４１をクリックすることにより（ステップＳＢ９）、注文発注受付部２８が起動して、注文発注が出された余剰在庫製品を契約余剰在庫として設定し、契約余剰在庫製品データ２７を作成する。
注文発注が出されると、図６の状態欄４０には、余剰在庫製品が注文発注を受けていることを示す契約の表示が現れる。更に、約定行番欄４２の約定行番が表示される。
また、注文発注受付部２８は、例えば図７に示すような約定行番が記入された注文書を作成して、ユーザー側操作端末２１に接続された図示しない印刷機等の出力機器から出力させる（ステップＳＢ１０）。出力された注文書の内容は、例えば情報通信回線２２を介して販売代理店に送付し（ステップＳＢ１１）、余剰在庫製品の購入業務を終了する（ステップＳＢ８）。
【００４２】
注文発注を行なわず発注予約を解除する場合は、図６の余剰在庫表示番号欄３８で発注予約を解除する余剰在庫製品を選択し、取り消し欄４３をクリックすることにより、発注予約解除部２９が直ちに起動し発注予約に対応した保留余剰在庫製品の設定解除を行なって（ステップＳＢ１２）、余剰在庫製品の購入業務を終了する（ステップＳＢ８）。
なお、保留余剰在庫製品の設定解除に伴って、図３の保留欄３７ａに現れていたＬ表示、図６の状態欄４０に現れていた予約表示が消え、他のユーザーに対して発注予約が取り消された余剰在庫製品の余剰在庫製品明細の開示が再開される。ここで、発注予約が行なわれたが、その後所定期間内に発注予約の取り消しや注文発注が行なわれない場合、所定期間が満了すると共に発注予約解除部２９が起動して、自動的に発注予約が解除され、その余剰在庫製品に対する余剰在庫製品明細の開示が再開される。
【００４３】
図８に示すように、製造者側操作端末１８を余剰在庫振当手段１５に接続して、余剰在庫製品の振当業務を開始する（ステップＳＣ１）。
先ず、受注管理用コンピュータ３１から注文書に基づいた契約余剰在庫製品の充当用本注文の指示が受け付けられているかを確認する（ステップＳＣ２）。契約余剰在庫製品の充当用本注文の指示の受け付けが確認されると、契約余剰在庫製品データ２７内に保存されている注文発注の内容と契約余剰在庫製品の充当用本注文の内容が一致するかを確認する（ステップＳＣ３）。
一致が確認されると、本注文に対して契約余剰在庫製品の引当を行なう（ステップＳＣ４）。引当では、注文書に記載されている約定行番、規格略号、サイズ、注文量、形状等の仕様と、契約余剰在庫製品の有する圧延実績（サイズや温度等に依存）、成分、表面仕上げ、形状（形態、重量等に依存）、引張り強度値等の製造履歴及び品質の突き合わせを行なう。突き合わせ結果に異常が発生しない場合は引当成功と判定する（ステップＳＣ５）。そして、契約余剰在庫製品を引当余剰在庫製品として登録し（ステップＳＣ６）、引当余剰在庫製品のユーザー（発注者）への出荷を指示して（ステップＳＣ７）、余剰在庫製品の振当業務を終了する（ステップＳＣ８）。
【００４４】
なお、注文発注の内容と本注文の内容が一致しない場合、引当が成功しなかった場合は、異常発生を製造者側の担当者に伝え（ステップＳＣ９）、注文発注や本注文入力の経緯が確認され、注文発注の内容と本注文の内容が一致するように異常対応が行なわれ（ステップＳＣ１０）、余剰在庫製品の振当業務を終了する（ステップＳＣ８）。従って、再度、余剰在庫製品の振当業務を開始することにより、余剰在庫製品の振当てを行なうことが可能となる。
【００４５】
以上、本発明の実施の形態を説明したが、本発明は、この実施の形態に限定されるものではなく、発明の要旨を変更しない範囲での変更は可能であり、前記した実施の形態や変形例の一部又は全部を組み合わせて本発明のオンラインでの余剰在庫製品販売方法及びそのシステムを構成する場合も本発明の権利範囲に含まれる。例えば、契約余剰在庫製品に対する出荷の振当て結果を受注管理用コンピュータで確認できるようにしたが、受注管理用コンピュータを余剰在庫抽出手段、引当可否判定手段、余剰在庫情報開示手段、余剰在庫発注手段に接続して抽出余剰在庫製品データ、開示余剰在庫製品データ、保留余剰在庫製品データの内容を確認できるようにすることもできる。
また、余剰在庫抽出手段、引当可否判定手段、余剰在庫情報開示手段、余剰在庫発注手段、余剰在庫振当手段、認証手段を１つのコンピュータに各プログラムを搭載させてオンラインでの余剰在庫製品販売システムを構成したが、複数のコンピュータにそれぞれプログラムを分散搭載させて、複数のコンピュータを用いてオンラインでの余剰在庫販売システムを構成することも可能である。
【００４６】
【発明の効果】
請求項１〜７記載のオンラインでの余剰在庫製品販売方法においては、ユーザー側操作端末に表示する余剰在庫製品は、ユーザーが過去に注文した範囲内の品質を有する余剰在庫製品であり、ユーザーの使用可能性が高い余剰在庫製品のみを提供するので、ユーザー側では、購入に際して余剰在庫製品の選定労力の低減を図ることが可能となる。
【００４７】
特に、請求項２記載のオンラインでの余剰在庫製品販売方法においては、余剰在庫製品が鉄鋼製品である場合には、品質が、寸法、成分、及び機械的特性であるので、ユーザー側では、購入に際して余剰在庫製品の購入可否判断を容易に行なうことが可能となる。
【００４８】
請求項３記載のオンラインでの余剰在庫製品販売方法においては、余剰在庫製品が複数のユーザーの各ユーザー側操作端末に対して表示可能な場合には、表示順位に優先順位を付けて、予め設定した期間毎に開示対象ユーザーの範囲を順次拡大するので、購入可能性の高いユーザーの順に余剰在庫製品を開示することで、余剰在庫製品の販売を促進することが可能となる。
【００４９】
請求項４記載のオンラインでの余剰在庫製品販売方法においては、ユーザー側操作端末に表示された余剰在庫製品を発注予約した後は、予め所定の期間内に注文発注を行なうので、発注予約の段階で販売契約が停止するのを防止して、余剰在庫製品の販売を促進することが可能となる。
【００５０】
請求項５記載のオンラインでの余剰在庫製品販売方法においては、複数のユーザーの各ユーザー側操作端末に対して同一の余剰在庫製品を開示している際、複数のユーザーの中の１つがその余剰在庫製品の発注予約をすると、残りのユーザーのユーザー側操作端末には発注予約のあったその余剰在庫製品の表示を停止するので、重複して発注予約が行なわれるのが防止されて、効率的な余剰在庫製品の販売を行なうことが可能となる。
【００５１】
請求項６記載のオンラインでの余剰在庫製品販売方法においては、ユーザー側操作端末に開示された余剰在庫製品に対して発注予約がなされた後、予め設定した期間内に、その発注予約したユーザーからの注文発注がなされない場合は、残りのユーザーのユーザー側操作端末に表示を停止した余剰在庫製品を再表示するので、余剰在庫製品の販売機会を多くして販売促進を図ることが可能となる。
【００５２】
請求項７記載のオンラインでの余剰在庫製品販売方法においては、ユーザー側操作端末に開示した余剰在庫製品に対して注文発注がなされると注文書を注文発注を行なったユーザーのユーザー側操作端末に表示するので、ユーザーは表示された注文書を用いて、販売代理店に対する本発注業務に使用することができ、余剰在庫製品の購入を容易に行なうことが可能となる。
【００５３】
請求項８〜１１記載のオンラインでの余剰在庫製品販売システムにおいては、全余剰在庫製品から第１の購入条件を適用して購入対象の可能性の高い１以上の抽出余剰在庫製品を選定する余剰在庫抽出手段と、各抽出余剰在庫製品に対して第２の購入条件を適用して引当て可能な１以上の開示余剰在庫製品を選定しその余剰在庫製品明細を作成する引当可否判定手段と、余剰在庫製品明細の開示先、開示開始日、及び開示期間を決定して余剰在庫製品明細の開示を行なう余剰在庫情報開示手段と、各余剰在庫製品明細に基づいて各開示余剰在庫製品の中から購入対象となる契約余剰在庫製品を選定させて注文発注を受け付けると共に、注文書を出力する余剰在庫発注手段と、注文発注及び注文書の各内容の確認を行ない、契約余剰在庫製品に対して出荷の振当てを行なって余剰在庫販売製品の契約を成立させる余剰在庫振当手段とを有するので、製造者側にとっては余剰在庫製品の効率的な販売が可能となる。また、各ユーザー毎に購入対象の可能性が高い余剰在庫製品のみを開示余剰在庫製品として提供するので、各ユーザー側では、購入に際して余剰在庫製品の選定労力の低減を図ることが可能となる。
【００５４】
特に、請求項９記載のオンラインでの余剰在庫製品販売システムにおいては、引当可否判定手段には、事前に模擬発注を行なって引当ての可能性を判定して開示余剰在庫製品を選定する事前振当確認部が設けられているので、余剰在庫製品に対する引当て可能性が事前に確認されて、発注時の余剰在庫製品充当業務において引当て不可材の発生を回避することが可能となると共に、品質保証が行なわれた余剰在庫製品のみを販売に提供することが可能となる。
【００５５】
請求項１０記載のオンラインでの余剰在庫製品販売システムにおいては、余剰在庫発注手段には、余剰在庫製品明細に基づいた発注予約を受け付けて、所定期間だけ発注予約が設定された余剰在庫製品の保留を指示すると共に、発注予約を入力した開示先を除いて発注予約が設定された余剰在庫製品の余剰在庫製品明細の開示を所定期間だけ停止する発注予約受付部が設けられているので、重複して発注予約又は注文発注が行なわれるのが防止されて、効率的な余剰在庫製品の販売を行なうことが可能となる。
【００５６】
請求項１１記載のオンラインでの余剰在庫製品販売システムにおいては、余剰在庫発注手段には、発注予約が受け付けられて所定期間の内に注文発注の入力が行なわれない場合、発注予約が設定された余剰在庫製品の保留を取り止め発注予約を解除する発注予約解除部が設けられているので、余剰在庫製品明細の開示が他のユーザーに対しても可能となり、余剰在庫製品の販売機会を多くして販売促進を図ることが可能となる。
【図面の簡単な説明】
【図１】本発明の一実施の形態に係るオンラインでの余剰在庫製品販売システムの構成図である。
【図２】同オンラインでの余剰在庫製品販売システムにおける製造者側での余剰在庫製品開示業務の流れを示す説明図である。
【図３】同オンラインでの余剰在庫製品販売システムにおける抽出余剰在庫製品データの形式例を示す説明図である。
【図４】同オンラインでの余剰在庫製品販売システムにおける模擬発注指示の操作を示す説明図である。
【図５】同オンラインでの余剰在庫製品販売システムにおけるユーザー側の余剰在庫製品購入業務の流れを示す説明図である。
【図６】同オンラインでの余剰在庫製品販売システムにおける開示余剰在庫製品データの形式例を示す説明図である。
【図７】同オンラインでの余剰在庫製品販売システムにおける注文書の形式例を示す説明図である。
【図８】同オンラインでの余剰在庫製品販売システムにおける製造者側での余剰在庫製品振当業務の流れを示す説明図である。
【符号の説明】
１０：余剰在庫製品販売システム、１０ａ：コンピュータ、１１：余剰在庫抽出手段、１２：引当可否判定手段、１２ａ：事前振当確認部、１３：余剰在庫情報開示手段、１４：余剰在庫発注手段、１５：余剰在庫振当手段、１６：全余剰在庫製品データ、１７：抽出余剰在庫製品データ、１８：製造者側操作端末、１９：表示器、２０：開示余剰在庫製品データ、２１：ユーザー側操作端末、２２：情報通信回線、２３：認証手段、２４：表示器、２５：保留余剰在庫製品データ、２６：発注予約受付部、２７：契約余剰在庫製品データ、２８：注文発注受付部、２９：発注予約解除部、３０：販売代理店発注用端末、３１：受注管理用コンピュータ、３２：振当確認部、３３：引当余剰在庫製品データ、３４：振当実行部、３５：エラーメッセージ欄、３６：判定欄、３７：販売可否欄、３７ａ：保留欄、３８：余剰在庫表示番号欄、３９：予約欄、４０：状態欄、４１：契約欄、４２：約定行番欄、４３：取り消し欄
【図１】
2004227454.tif 000003
【図２】
2004227454.tif 000004
【図３】
2004227454.tif 000005
【図４】
2004227454.tif 000006
【図５】
2004227454.tif 000007
【図６】
2004227454.tif 000008
【図７】
2004227454.tif 000009
【図８】
2004227454.tif 000010